(57)【要約】【課題】ホワイトバランスの設定を素早く変更することができる技術を提供する。【解決手段】本発明の撮像制御装置は、オート、太陽光、蛍光灯を少なくとも含む複数の設定にそれぞれ対応する複数の選択肢のうちいずれかを選択する第１の操作手段と、第２の操作手段と、ホワイトバランスの設定が前記複数の選択肢のうち所定の選択肢に対応する設定でなかった場合には、前記第２の操作手段が操作されたことに応じて、ホワイトバランスを前記所定の選択肢に対応する設定に変更し、ホワイトバランスの設定が前記所定の選択肢に対応する設定であった場合には、前記第２の操作手段が操作されたことに応じて、ホワイトバランスを前記所定の選択肢に対応する複数の種別の設定のうち他の種別の設定に変更するように制御する制御手段と、を有する。【選択図】図３
2020005207.tif 000002
【特許請求の範囲】
【請求項１】
ホワイトバランスに関する、オート、太陽光、蛍光灯を少なくとも含む複数の設定にそれぞれ対応する複数の選択肢のうちいずれかを選択する第１の操作手段と、
第２の操作手段と、
ホワイトバランスの設定が前記複数の選択肢のうち所定の選択肢に対応する設定でなかった場合には、前記第２の操作手段が操作されたことに応じて、ホワイトバランスを前記所定の選択肢に対応する設定に変更し、
ホワイトバランスの設定が前記所定の選択肢に対応する設定であった場合には、前記第２の操作手段が操作されたことに応じて、ホワイトバランスを前記所定の選択肢に対応する複数の種別の設定のうち他の種別の設定に変更するように制御する制御手段と、
を有することを特徴とする撮像制御装置。
【請求項２】
前記複数の選択肢には、前記複数の種別の設定にそれぞれ対応する複数の選択肢は含まれない、
ことを特徴とする請求項１に記載の撮像制御装置。
【請求項３】
前記制御手段は、ホワイトバランスの設定が前記所定の選択肢に対応する設定でなかった場合に、前記第２の操作手段が操作されたことに応じて、ホワイトバランスを、前記所定の選択肢に対応する複数の種別の設定のうち、前回に前記所定の選択肢に対応する設定にしていた際と同じ種別の設定にするように制御する、
ことを特徴とする請求項１または２に記載の撮像制御装置。
【請求項４】
前記所定の選択肢はオートホワイトバランスに対応する選択肢である、
ことを特徴とする請求項１乃至３のいずれか１項に記載の撮像制御装置。
【請求項５】
前記所定の選択肢に対応する設定は前記蛍光灯である、
ことを特徴とする請求項１乃至３のいずれか１項に記載の撮像制御装置。
【請求項６】
前記蛍光灯の設定には、蛍光灯の色別の複数の種別のホワイトバランスの設定が含まれる、
ことを特徴とする請求項５に記載の撮像制御装置。
【請求項７】
ホワイトバランスに関する、オート、太陽光、蛍光灯を少なくとも含む複数の設定の選択肢のうちいずれかを選択する第１の操作手段と、
第２の操作手段と、
ホワイトバランスの設定が前記複数の設定のうち前記オートでなかった場合には、前記第２の操作手段が操作されたことに応じて、ホワイトバランスを前記オートの複数の種別の設定のうちいずれかの種別の設定に変更し、
ホワイトバランスの設定が前記オートであった場合には、前記第２の操作手段が操作されたことに応じて、ホワイトバランスを前記オートの前記複数の種別の設定のうち他の種別の設定に変更するように制御する制御手段と、
を有することを特徴とする撮像制御装置。
【請求項８】
前記複数の設定の選択肢には、前記オートの前記複数の種別の設定にそれぞれ対応する複数の選択肢は含まれない、
ことを特徴とする請求項７に記載の撮像制御装置。
【請求項９】
前記制御手段は、ホワイトバランスの設定が前記複数の設定のうち前記オートでなかった場合に、前記第２の操作手段が操作されたことに応じて、ホワイトバランスを、前記オ
ートの前記複数の種別の設定のうち、前回オートに設定にしていた際と同じ種別の設定にするように制御する、
ことを特徴とする請求項７または８に記載の撮像制御装置。
【請求項１０】
前記複数の設定には、更に、曇天、日陰、電球、ストロボ、水中のうち少なくとも１つが含まれる、
ことを特徴とする請求項１乃至９のいずれか１項に記載の撮像制御装置。
【請求項１１】
撮像手段と、
ファインダーと、
グリップ部をさらに有し、
前記第２の操作手段は、前記ファインダーに接眼した状態で、前記グリップ部を持つ手の親指で操作可能な位置にある、
ことを特徴とする請求項１乃至１０のいずれか１項に記載の撮像制御装置。
【請求項１２】
割当可能な複数の機能を分類した複数のグループのいずれかを選択する選択手段と、
前記複数のグループのいずれかが選択された後、ユーザーの操作に応じて、選択されたグループに含まれない機能を除いた、前記選択されたグループに含まれた複数の機能のいずれかを、複数の操作にそれぞれ割り当てる割当手段と、
をさらに有し、
前記割当手段は、前記第２の操作手段に対して機能を割り当てることが可能である、
ことを特徴とする請求項１乃至１１のいずれか１項に記載の撮像制御装置。
【請求項１３】
前記第２の操作手段は、タッチ操作部材である、
ことを特徴とする請求項１乃至１２のいずれか１項に記載の撮像制御装置。
【請求項１４】
ホワイトバランスに関する、オート、太陽光、蛍光灯を少なくとも含む複数の設定にそれぞれ対応する複数の選択肢のうちいずれかを選択する第１の操作手段と、
第２の操作手段と、を有する撮像制御装置の制御方法であって、
ホワイトバランスの設定が前記複数の選択肢のうち所定の選択肢に対応する設定でなかった場合には、前記第２の操作手段が操作されたことに応じて、ホワイトバランスを前記所定の選択肢に対応する設定に変更し、
ホワイトバランスの設定が前記所定の選択肢に対応する設定であった場合には、前記第２の操作手段が操作されたことに応じて、ホワイトバランスを前記所定の選択肢に対応する複数の種別の設定のうち他の種別の設定に変更するように制御する制御ステップと、
を有することを特徴とする撮像制御装置の制御方法。
【請求項１５】
ホワイトバランスに関する、オート、太陽光、蛍光灯を少なくとも含む複数の設定の選択肢のうちいずれかを選択する第１の操作手段と、
第２の操作手段と、を有する撮像制御装置の制御方法であって、
ホワイトバランスの設定が前記複数の設定のうち前記オートでなかった場合には、前記第２の操作手段が操作されたことに応じて、ホワイトバランスを前記オートの複数の種別の設定のうちいずれかの種別の設定に変更し、
ホワイトバランスの設定が前記オートであった場合には、前記第２の操作手段が操作されたことに応じて、ホワイトバランスを前記オートの前記複数の種別の設定のうち他の種別の設定に変更するように制御する制御ステップと、
を有することを特徴とする撮像制御装置の制御方法。
【請求項１６】
コンピュータを、請求項１乃至１３のいずれか１項に記載された撮像制御装置の各手段として機能させるためのプログラム。
【請求項１７】
コンピュータを、請求項１乃至１３のいずれか１項に記載された撮像制御装置の各手段として機能させるためのプログラムを格納したコンピュータが読み取り可能な記憶媒体。
【発明の詳細な説明】
【技術分野】
【０００１】
本発明は、撮像制御装置、撮像制御装置の制御方法、プログラム、記憶媒体に関する。
【背景技術】
【０００２】
撮像装置の設定操作が行われる際、設定内容が表示部に表示されていないときは設定値を変えることなく現在の設定内容を表示し、設定内容が表示部に表示されているときは設定値を変更し、その内容を表示する方法が知られている（特許文献１）。
【０００３】
ここで、撮像装置の設定において、ホワイトバランスは撮影を行う際の重要なパラメータの一つである。例えば構図を大きく変えたことで、被写体の色が大きく変わった場合（動体を追っていて逆光から順光に切り替わったとき、室内から屋外にでた時など）、素早くホワイトバランスを変えないとシャッターチャンスを逃してしまう。
【先行技術文献】
【特許文献】
【０００４】
【特許文献１】特開２００１−３２４７５０号公報
【発明の概要】
【発明が解決しようとする課題】
【０００５】
ホワイトバランスの設定は、オート（ＡＷＢ）、太陽光、蛍光灯などの選択肢のいずれかを選択して設定できることが一般的であるが、オートの中でも複数の種別の設定が可能な場合がある。オートのような所定の設定に含まれる複数の種別の設定を、太陽光や蛍光灯などと同列の選択肢に含めると、ユーザーが望む設定に変更するまでに経由する選択肢が増えてしまい、素早い設定変更を阻害する。一方で、いったん所定の設定に設定したあと、別の操作で種別を選ぶための詳細設定画面を表示し、その上で種別を選択できるようにしたのでは、種別の変更操作を素早く行うことができない。特許文献１では、このようなホワイトバランスの設定方法については考慮されていない。
【０００６】
そこで、本発明は、ホワイトバランスの設定を素早く変更することができる技術を提供することを目的とする。
【課題を解決するための手段】
【０００７】
上記課題を解決するために、本発明の撮像制御装置は、ホワイトバランスに関する、オート、太陽光、蛍光灯を少なくとも含む複数の設定にそれぞれ対応する複数の選択肢のうちいずれかを選択する第１の操作手段と、第２の操作手段と、ホワイトバランスの設定が前記複数の選択肢のうち所定の選択肢に対応する設定でなかった場合には、前記第２の操作手段が操作されたことに応じて、ホワイトバランスを前記所定の選択肢に対応する設定に変更し、ホワイトバランスの設定が前記所定の選択肢に対応する設定であった場合には、前記第２の操作手段が操作されたことに応じて、ホワイトバランスを前記所定の選択肢に対応する複数の種別の設定のうち他の種別の設定に変更するように制御する制御手段と、を有することを特徴とする。
【発明の効果】
【０００８】
本発明によれば、ホワイトバランスの設定を素早く変更することできる。
【図面の簡単な説明】
【０００９】
【図１】本実施形態に係るデジタルカメラの外観図である。
【図２】本実施形態に係るデジタルカメラのブロック図である。
【図３】本実施形態に係る設定処理の一例を示すフローチャートである。
【図４】本実施形態に係る画面表示の一例を示す図である。
【図５】本実施形態に係る設定処理の一例を示すフローチャートである。
【図６】本実施形態に係る画面表示の一例を示す図である。
【図７】本実施形態に係るタッチバーに機能を割り当てるための画面である。
【発明を実施するための形態】
【００１０】
（実施形態）
＜デジタルカメラ１００の外観図＞
以下、図面を参照して本発明の好適な実施形態を説明する。図１（ａ），１（ｂ）に、本発明を適用可能な装置の一例としてのデジタルカメラ１００の外観図を示す。図１（ａ）はデジタルカメラ１００の前面斜視図であり、図１（ｂ）はデジタルカメラ１００の背面斜視図である。
【００１１】
表示部２８は、デジタルカメラ１００の背面に設けられた表示部であり、画像や各種情報を表示する。タッチパネル７０ａは、表示部２８の表示面（タッチ操作面）に対するタッチ操作を検出することができる。ファインダー外表示部４３は、デジタルカメラ１００の上面に設けられた表示部であり、シャッター速度や絞りをはじめとするデジタルカメラ１００の様々な設定値を表示する。シャッターボタン６１は撮影指示を行うための操作部材である。モード切替スイッチ６０は、各種モードを切り替えるための操作部材である。端子カバー４０は、デジタルカメラ１００を外部機器に接続する接続ケーブル等とのコネクタ（不図示）を保護するカバーである。
【００１２】
メイン電子ダイヤル７１は回転操作部材であり、メイン電子ダイヤル７１を回すことで、シャッター速度や絞りなどの設定値の変更等が行える。電源スイッチ７２は、デジタルカメラ１００の電源のＯＮとＯＦＦを切り替える操作部材である。サブ電子ダイヤル７３は回転操作部材であり、サブ電子ダイヤル７３を回すことで、選択枠（カーソル）の移動や画像送りなどが行える。４方向キー７４は、上、下、左、右部分をそれぞれ押し込み可能に構成され、４方向キー７４の押した部分に応じた処理が可能である。ＳＥＴボタン７５は、押しボタンであり、主に選択項目の決定などに用いられる。
【００１３】
動画ボタン７６は、動画撮影（記録）の開始や停止の指示に用いられる。ＡＥロックボタン７７は押しボタンであり、撮影待機状態でＡＥロックボタン７７を押下することにより、露出状態を固定することができる。拡大ボタン７８は、撮影モードのライブビュー表示（ＬＶ表示）において拡大モードのＯＮとＯＦＦを切り替えるための操作ボタンである。拡大モードをＯＮとしてからメイン電子ダイヤル７１を操作することにより、ライブビュー画像（ＬＶ画像）の拡大や縮小を行える。再生モードにおいては、拡大ボタン７８は、再生画像を拡大したり、その拡大率を増加させたりするための操作ボタンとして機能する。再生ボタン７９は、撮影モードと再生モードとを切り替えるための操作ボタンである。撮影モード中に再生ボタン７９を押下することで再生モードに移行し、記録媒体２００（後述）に記録された画像のうち最新の画像を表示部２８に表示させることができる。メニューボタン８１はメニュー画面を表示させる指示操作を行うために用いられる押しボタンであり、メニューボタン８１が押されると各種の設定が可能なメニュー画面が表示部２８に表示される。ユーザーは、表示部２８に表示されたメニュー画面と、４方向キー７４やＳＥＴボタン７５とを用いて直感的に各種設定を行うことができる。
【００１４】
タッチバー８２（マルチファンクションバー：Ｍ−Ｆｎバー）は、タッチ操作を受け付けることが可能なライン状のタッチ操作部材（ラインタッチセンサー）である。タッチバー８２は、通常の握り方（メーカー推奨の握り方）でグリップ部９０を握った右手の親指
でタッチ操作可能（タッチ可能）な位置に配置されている。タッチバー８２は、タッチバー８２に対するタップ操作（タッチして所定期間以内に移動せずに離す操作）、左右へのスライド操作（タッチした後、タッチしたままタッチ位置を移動する操作）などを受け付け可能な受付部である。タッチバー８２は、タッチパネル７０ａとは異なる操作部材であり、表示機能を備えていない。
【００１５】
通信端子１０は、デジタルカメラ１００がレンズユニット１５０（後述；着脱可能）側と通信を行うための通信端子である。接眼部１６は、接眼ファインダー１７（覗き込み型のファインダー）の接眼部であり、ユーザーは、接眼部１６を介して内部のＥＶＦ２９（後述）に表示された映像を視認することができる。接眼検知部５７は、接眼部１６にユーザー（撮影者）が接眼しているか否かを検知する接眼検知センサーである。蓋２０２は、記録媒体２００（後述）を格納するスロットの蓋である。グリップ部９０は、ユーザーがデジタルカメラ１００を構える際に右手で握りやすい形状とした保持部である。グリップ部９０を右手の小指、薬指、中指で握ってデジタルカメラ１００を保持した状態で、右手の人差指で操作可能な位置にシャッターボタン６１とメイン電子ダイヤル７１が配置されている。また、同じ状態で、右手の親指で操作可能な位置に、サブ電子ダイヤル７３とタッチバー８２が配置されている。サムレスト部９１（親指待機位置）は、デジタルカメラ１００の背面側の、どの操作部材も操作しない状態でグリップ部９０を握った右手の親指を置きやすい箇所に設けられたグリップ部材である。サムレスト部９１は、保持力（グリップ感）を高めるためのラバー部材などで構成される。
【００１６】
＜デジタルカメラ１００の構成ブロック図＞
図２は、デジタルカメラ１００の構成例を示すブロック図である。レンズユニット１５０は、交換可能な撮影レンズを搭載するレンズユニットである。レンズ１０３は通常、複数枚のレンズから構成されるが、図２では簡略して一枚のレンズのみで示している。通信端子６は、レンズユニット１５０がデジタルカメラ１００側と通信を行うための通信端子であり、通信端子１０は、デジタルカメラ１００がレンズユニット１５０側と通信を行うための通信端子である。レンズユニット１５０は、これら通信端子６，１０を介してシステム制御部５０と通信する。そして、レンズユニット１５０は、内部のレンズシステム制御回路４によって絞り駆動回路２を介して絞り１の制御を行う。また、レンズユニット１５０は、レンズシステム制御回路４によってＡＦ駆動回路３を介してレンズ１０３の位置を変位させることで焦点を合わせる。
【００１７】
シャッター１０１は、システム制御部５０の制御で撮像部２２の露光時間を自由に制御できるフォーカルプレーンシャッターである。
【００１８】
撮像部２２は、光学像を電気信号に変換するＣＣＤやＣＭＯＳ素子等で構成される撮像素子である。撮像部２２は、システム制御部５０にデフォーカス量情報を出力する撮像面位相差センサーを有していてもよい。Ａ／Ｄ変換器２３は、撮像部２２から出力されるアナログ信号をデジタル信号に変換する。
【００１９】
画像処理部２４は、Ａ／Ｄ変換器２３からのデータ、又は、メモリ制御部１５からのデータに対し所定の処理（画素補間、縮小といったリサイズ処理、色変換処理、等）を行う。また、画像処理部２４は、撮像した画像データを用いて所定の演算処理を行い、システム制御部５０は、画像処理部２４により得られた演算結果に基づいて露光制御や測距制御を行う。これにより、ＴＴＬ（スルー・ザ・レンズ）方式のＡＦ（オートフォーカス）処理、ＡＥ（自動露出）処理、ＥＦ（フラッシュプリ発光）処理、等が行われる。画像処理部２４は更に、撮像した画像データを用いて所定の演算処理を行い、得られた演算結果に基づいてＴＴＬ方式のＡＷＢ（オートホワイトバランス）処理を行う。
【００２０】
Ａ／Ｄ変換器２３からの出力データは、画像処理部２４及びメモリ制御部１５を介してメモリ３２に書き込まれる。あるいは、Ａ／Ｄ変換器２３からの出力データは、画像処理部２４を介さずにメモリ制御部１５を介してメモリ３２に書き込まれる。メモリ３２は、撮像部２２によって得られＡ／Ｄ変換器２３によりデジタルデータに変換された画像データや、表示部２８やＥＶＦ２９に表示するための画像データを格納する。メモリ３２は、所定枚数の静止画像や所定時間の動画像および音声を格納するのに十分な記憶容量を備えている。
【００２１】
また、メモリ３２は画像表示用のメモリ（ビデオメモリ）を兼ねている。Ｄ／Ａ変換器１９は、メモリ３２に格納されている画像表示用のデータをアナログ信号に変換して表示部２８やＥＶＦ２９に供給する。こうして、メモリ３２に書き込まれた表示用の画像データはＤ／Ａ変換器１９を介して表示部２８やＥＶＦ２９により表示される。表示部２８とＥＶＦ２９のそれぞれは、ＬＣＤや有機ＥＬ等の表示器上で、Ｄ／Ａ変換器１９からのアナログ信号に応じた表示を行う。Ａ／Ｄ変換器２３によってＡ／Ｄ変換されメモリ３２に蓄積されたデジタル信号をＤ／Ａ変換器１９においてアナログ信号に変換し、表示部２８またはＥＶＦ２９に逐次転送して表示することで、ライブビュー表示（ＬＶ）が行える。以下、ライブビュー表示で表示される画像をライブビュー画像（ＬＶ画像）と称する。
【００２２】
ファインダー外表示部４３には、ファインダー外表示部駆動回路４４を介して、シャッター速度や絞りをはじめとするカメラの様々な設定値が表示される。
【００２３】
不揮発性メモリ５６は、電気的に消去・記録可能なメモリであり、例えばＥＥＰＲＯＭ等である。不揮発性メモリ５６には、システム制御部５０の動作用の定数、プログラム等が記録される。ここでいうプログラムとは、本実施形態にて後述する各種フローチャートを実行するためのプログラムのことである。
【００２４】
システム制御部５０は、少なくとも１つのプロセッサーまたは回路からなる制御部であり、デジタルカメラ１００全体を制御する。システム制御部５０は、前述した不揮発性メモリ５６に記録されたプログラムを実行することで、後述する本実施形態の各処理を実現する。システムメモリ５２は例えばＲＡＭであり、システム制御部５０は、システム制御部５０の動作用の定数、変数、不揮発性メモリ５６から読み出したプログラム等をシステムメモリ５２に展開する。また、システム制御部５０は、メモリ３２、Ｄ／Ａ変換器１９、表示部２８等を制御することにより表示制御も行う。
【００２５】
システムタイマー５３は、各種制御に用いる時間や、内蔵された時計の時間を計測する計時部である。
【００２６】
電源制御部８０は、電池検出回路、ＤＣ−ＤＣコンバータ、通電するブロックを切り替えるスイッチ回路等により構成され、電池の装着の有無、電池の種類、電池残量の検出などを行う。また、電源制御部８０は、その検出結果及びシステム制御部５０の指示に基づいてＤＣ−ＤＣコンバータを制御し、必要な電圧を必要な期間、記録媒体２００を含む各部へ供給する。電源部３０は、アルカリ電池やリチウム電池等の一次電池やＮｉＣｄ電池やＮｉＭＨ電池、Ｌｉ電池等の二次電池、ＡＣアダプター等からなる。
【００２７】
記録媒体Ｉ／Ｆ１８は、メモリカードやハードディスク等の記録媒体２００とのインターフェースである。記録媒体２００は、撮影された画像を記録するためのメモリカード等の記録媒体であり、半導体メモリや磁気ディスク等から構成される。
【００２８】
通信部５４は、無線または有線ケーブルによって接続された外部機器との間で、映像信号や音声信号の送受信を行う。通信部５４は無線ＬＡＮ（Ｌｏｃａｌ  Ａｒｅａ  Ｎｅｔ
ｗｏｒｋ）やインターネットとも接続可能である。また、通信部５４は、Ｂｌｕｅｔｏｏｔｈ（登録商標）やＢｌｕｅｔｏｏｔｈ  Ｌｏｗ  Ｅｎｅｒｇｙでも外部機器と通信可能である。通信部５４は撮像部２２で撮像した画像（ＬＶ画像を含む）や、記録媒体２００に記録された画像を送信可能であり、外部機器から画像データやその他の各種情報を受信することができる。
【００２９】
姿勢検知部５５は、重力方向に対するデジタルカメラ１００の姿勢を検知する。姿勢検知部５５で検知された姿勢に基づいて、撮像部２２で撮影された画像が、デジタルカメラ１００を横に構えて撮影された画像であるか、縦に構えて撮影された画像であるかを判別可能である。システム制御部５０は、姿勢検知部５５で検知された姿勢に応じた向き情報を撮像部２２で撮像された画像の画像ファイルに付加したり、画像を回転して記録したりすることが可能である。姿勢検知部５５としては、加速度センサーやジャイロセンサーなどを用いることができる。姿勢検知部５５である加速度センサーやジャイロセンサーを用いて、デジタルカメラ１００の動き（パン、チルト、持ち上げ、静止しているか否か等）を検知することも可能である。
【００３０】
接眼検知部５７は、接眼ファインダー１７（以後、単に「ファインダー」と記載する）の接眼部１６に対する目（物体）の接近（接眼）および離反（離眼）を検知する（接近検知）、接眼検知センサーである。システム制御部５０は、接眼検知部５７で検知された状態に応じて、表示部２８とＥＶＦ２９の表示（表示状態）／非表示（非表示状態）を切り替える。より具体的には、少なくとも撮影待機状態で、かつ、表示先の切替が自動切替である場合において、非接眼中は表示先を表示部２８として表示をオンとし、ＥＶＦ２９は非表示とする。また、接眼中は表示先をＥＶＦ２９として表示をオンとし、表示部２８は非表示とする。接眼検知部５７としては、例えば赤外線近接センサーを用いることができ、ＥＶＦ２９を内蔵するファインダー１７の接眼部１６への何らかの物体の接近を検知することができる。物体が接近した場合は、接眼検知部５７の投光部（図示せず）から投光した赤外線が物体で反射して赤外線近接センサーの受光部（図示せず）で受光される。受光された赤外線の量によって、物体が接眼部１６からどの距離まで近づいているか（接眼距離）も判別することができる。このように、接眼検知部５７は、接眼部１６への物体の近接距離を検知する接眼検知を行う。非接眼状態（非接近状態）から、接眼部１６に対して所定距離以内に近づく物体が検出された場合に、接眼されたと検出するものとする。接眼状態（接近状態）から、接近を検知していた物体が所定距離以上離れた場合に、離眼されたと検出するものとする。接眼を検出する閾値と、離眼を検出する閾値は例えばヒステリシスを設けるなどして異なっていてもよい。また、接眼を検出した後は、離眼を検出するまでは接眼状態であるものとする。離眼を検出した後は、接眼を検出するまでは非接眼状態であるものとする。なお、赤外線近接センサーは一例であって、接眼検知部５７には、接眼とみなせる目や物体の接近を検知できるものであれば他のセンサーを採用してもよい。
【００３１】
操作部７０は、ユーザーからの操作（ユーザー操作）を受け付ける入力部であり、システム制御部５０に各種の動作指示を入力するために使用される。図２に示すように、操作部７０は、モード切替スイッチ６０、シャッターボタン６１、電源スイッチ７２、タッチパネル７０ａ、タッチバー８２、等を含む。また、操作部７０は、その他の操作部材７０ｂとして、メイン電子ダイヤル７１、サブ電子ダイヤル７３、４方向キー７４、ＳＥＴボタン７５、動画ボタン７６、ＡＥロックボタン７７、拡大ボタン７８、再生ボタン７９、メニューボタン８１、等を含む。
【００３２】
モード切替スイッチ６０は、システム制御部５０の動作モードを静止画撮影モード、動画撮影モード、再生モード等のいずれかに切り替える。静止画撮影モードに含まれるモードとして、オート撮影モード、オートシーン判別モード、マニュアルモード、絞り優先モ
ード（Ａｖモード）、シャッター速度優先モード（Ｔｖモード）、プログラムＡＥモード（Ｐモード）がある。また、撮影シーン別の撮影設定となる各種シーンモード、カスタムモード等がある。モード切替スイッチ６０より、ユーザーは、これらのモードのいずれかに直接切り替えることができる。あるいは、モード切替スイッチ６０で撮影モードの一覧画面に一旦切り替えた後に、表示された複数のモードのいずれかに、他の操作部材を用いて選択的に切り替えるようにしてもよい。同様に、動画撮影モードにも複数のモードが含まれていてもよい。
【００３３】
シャッターボタン６１は、第１シャッタースイッチ６２と第２シャッタースイッチ６４を備える。第１シャッタースイッチ６２は、シャッターボタン６１の操作途中、いわゆる半押し（撮影準備指示）でＯＮとなり第１シャッタースイッチ信号ＳＷ１を発生する。システム制御部５０は、第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の撮影準備動作を開始する。第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから、撮像された画像を画像ファイルとして記録媒体２００に書き込むまでの、一連の撮影処理の動作を開始する。
【００３４】
タッチパネル７０ａと表示部２８とは一体的に構成することができる。例えば、タッチパネル７０ａは、光の透過率が表示部２８の表示を妨げないように構成され、表示部２８の表示面の上層に取り付けられる。そして、タッチパネル７０ａにおける入力座標と、表示部２８の表示面上の表示座標とを対応付ける。これにより、あたかもユーザーが表示部２８上に表示された画面を直接的に操作可能であるかのようなＧＵＩ（グラフィカルユーザーインターフェース）を提供できる。システム制御部５０は、タッチパネル７０ａへの以下の操作、あるいは状態を検出できる。
【００３５】
・タッチパネル７０ａにタッチしていなかった指やペンが新たにタッチパネル７０ａにタッチしたこと、すなわちタッチの開始（以下、タッチダウン（Ｔｏｕｃｈ−Ｄｏｗｎ）と称する）
・タッチパネル７０ａを指やペンでタッチしている状態（以下、タッチオン（Ｔｏｕｃｈ−Ｏｎ）と称する）
・指やペンがタッチパネル７０ａをタッチしたまま移動していること（以下、タッチムーブ（Ｔｏｕｃｈ−Ｍｏｖｅ）と称する）
・タッチパネル７０ａへタッチしていた指やペンがタッチパネル７０ａから離れた（リリースされた）こと、すなわちタッチの終了（以下、タッチアップ（Ｔｏｕｃｈ−Ｕｐ）と称する）
・タッチパネル７０ａに何もタッチしていない状態（以下、タッチオフ（Ｔｏｕｃｈ−Ｏｆｆ）と称する）
【００３６】
タッチダウンが検出されると、同時にタッチオンも検出される。タッチダウンの後、タッチアップが検出されない限りは、通常はタッチオンが検出され続ける。タッチムーブが検出された場合も、同時にタッチオンが検出される。タッチオンが検出されていても、タッチ位置が移動していなければタッチムーブは検出されない。タッチしていた全ての指やペンがタッチアップしたことが検出された後は、タッチオフとなる。
【００３７】
これらの操作・状態や、タッチパネル７０ａ上に指やペンがタッチしている位置座標は内部バスを通じてシステム制御部５０に通知される。そして、システム制御部５０は通知された情報に基づいてタッチパネル７０ａ上にどのような操作（タッチ操作）が行なわれたかを判定する。タッチムーブについてはタッチパネル７０ａ上で移動する指やペンの移
動方向についても、位置座標の変化に基づいて、タッチパネル７０ａ上の垂直成分・水平成分毎に判定できる。所定距離以上をタッチムーブしたことが検出された場合はスライド操作が行なわれたと判定するものとする。タッチパネル７０ａ上に指をタッチしたままある程度の距離だけ素早く動かして、そのまま離すといった操作をフリックと呼ぶ。フリックは、言い換えればタッチパネル７０ａ上を指ではじくように素早くなぞる操作である。所定距離以上を、所定速度以上でタッチムーブしたことが検出され、そのままタッチアップが検出されるとフリックが行なわれたと判定できる（スライド操作に続いてフリックがあったものと判定できる）。更に、複数箇所（例えば２点）を共にタッチして（マルチタッチして）、互いのタッチ位置を近づけるタッチ操作をピンチイン、互いのタッチ位置を遠ざけるタッチ操作をピンチアウトと称する。ピンチアウトとピンチインを総称してピンチ操作（あるいは単にピンチ）と称する。タッチパネル７０ａは、抵抗膜方式や静電容量方式、表面弾性波方式、赤外線方式、電磁誘導方式、画像認識方式、光センサー方式等、様々な方式のタッチパネルのうちいずれの方式のものであってもよい。タッチパネルに対する接触があったことでタッチがあったと検出する方式や、タッチパネルに対する指やペンの接近があったことでタッチがあったと検出する方式があるが、いずれの方式でもよい。
【００３８】
また、システム制御部５０は、タッチバー８２への以下の操作、あるいは状態を検出できる。
・タッチバー８２にタッチしていなかった指が新たにタッチバー８２にタッチしたこと、すなわちタッチの開始（以下、タッチダウン（Ｔｏｕｃｈ−Ｄｏｗｎ）と称する）
・タッチバー８２を指でタッチしている状態（以下、タッチオン（Ｔｏｕｃｈ−Ｏｎ）と称する）
・指がタッチバー８２をタッチしたまま移動していること（以下、タッチムーブ（Ｔｏｕｃｈ−Ｍｏｖｅ）と称する）
・タッチバー８２へタッチしていた指がタッチバー８２から離れた（リリースされた）こと、すなわちタッチの終了（以下、タッチアップ（Ｔｏｕｃｈ−Ｕｐ）と称する）
・タッチバー８２に何もタッチしていない状態（以下、タッチオフ（Ｔｏｕｃｈ−Ｏｆｆ）と称する）
【００３９】
タッチダウンが検出されると、同時にタッチオンも検出される。タッチダウンの後、タッチアップが検出されない限りは、通常はタッチオンが検出され続ける。タッチムーブが検出された場合も、同時にタッチオンが検出される。タッチオンが検出されていても、タッチ位置が移動していなければタッチムーブは検出されない。タッチしていた全ての指やペンがタッチアップしたことが検出された後は、タッチオフとなる。
【００４０】
これらの操作・状態や、タッチバー８２上に指がタッチしている位置座標は内部バスを通じてシステム制御部５０に通知され、システム制御部５０は通知された情報に基づいてタッチバー８２上にどのような操作（タッチ操作）が行なわれたかを判定する。タッチムーブについてはタッチバー８２上での水平方向（左右方向）の移動を検知する。タッチ位置が所定距離以上移動（所定量以上移動）したことが検出された場合はスライド操作が行なわれたと判定するものとする。タッチバー８２上に指をタッチし、スライド操作することなく、所定時間以内にタッチを離す操作があった場合に、タップ操作が行われたと判定するものとする。タッチバー８２は、本実施形態では、静電容量方式のタッチセンサーであるものとする。ただし、抵抗膜方式、表面弾性波方式、赤外線方式、電磁誘導方式、画像認識方式、光センサー方式等、別の方式のタッチセンサーであってもよい。
【００４１】
タッチバー８２の内部には、３つのタッチセンサー電極が左右に並べて配置されている。システム制御部５０は、３つのタッチセンサー電極のそれぞれの電圧（電圧出力値）を読み出すことができる。そして、システム制御部５０は、３つのタッチセンサー電極のそ
れぞれについて、ベース電圧（環境に応じて調整や校正される基準値）からの電圧の変化量である電圧変化量を検出可能である。システム制御部５０は、３つのタッチセンサー電極のそれぞれについて検出された電圧変化量（静電容量の変化量）を加重平均し、Ｘ軸方向（横方向）のタッチ位置を０〜２５５の２５６段階で示す信号（タッチ座標）を取得する。０が最も左側（ファインダー１７側）の位置を示し、２５５が最も右側（サムレスト部９１側）の位置を示す。なお、電極数は３つに限るものではない。また、タッチ座標も２５６段階の値に限るものではない。
【００４２】
タッチバー８２には、操作位置・操作方法に応じた機能を割り当てることが可能である。タッチバー８２のタッチ検知面（キートップ）のうち、左側への左タップと、右側への右タップとに個別に機能を割り当てることが可能である。左タップとは、タッチバー８２のタッチ検知面（キートップ）のうち、全体ではなく中央より左側の一部領域である左側部へのタップ操作である。右タップとは、タッチバー８２のタッチ検知面（キートップ）のうち、中央より右側の一部領域である右側部へのタップ操作である。さらに、タッチバー８２の左側部と右側部を含むキートップ全体において受け付け可能な左右へのスライド操作にも、左タップや右タップと区別して機能を割り当てることが可能である。すなわち、タッチバー８２の操作箇所毎や操作方式毎（操作種別毎）に異なる機能が登録可能である。左タップと右タップは、例えば、タッチ座標が１２８以下（中央より左側）のタップであれば左タップ、タッチ座標が１２９以上（中央より右側）へのタップであれば右タップ、というように判別することが可能である。なお、中央へのタップは左タップと右タップのどちらでもないと判定するようにし、例えばタッチ座標が１００以下のタップであれば左タップ、タッチ座標が１５５以上であれば右タップ、というように判定してもよい。タッチバー８２は、ユーザーがファインダー１７に接眼した状態で、グリップ部９０を持つ手の親指で右タップ、左タップ、スライドの操作が可能な位置に配置されている。
【００４３】
撮影設定項目の１つであるホワイトバランス（ＷＢ）の設定は、撮影環境や被写体等に応じて撮像画像の色味を調整するために用いられる設定項目である。具体的には、ホワイトバランスの設定は、「オート」、「太陽光」、「日陰」、「くもり」（「曇天」）、「電球」、「蛍光灯」、「ストロボ使用」、「マニュアル（手動）」、「色温度」等の項目（選択肢）を選択することにより行われる。以下、上記の項目をホワイトバランスの設定値と称する。なお、ホワイトバランスの設定値は上記に限定されず撮影環境等に応じて様々な設定値を設けてもよい。上述のＳＷ２によって撮影が行われると、現像前の画像が撮像され、撮像された画像に、設定されたホワイトバランスに基づく画像処理パラメータで画像処理部２４が色処理（現像処理工程の１つ）を施す。そして、処理済みの画像が記録媒体２００に記録される（設定がＲＡＷ画像だけの記録ではない場合）。
【００４４】
また、本実施形態では、ホワイトバランスの設定値を「オート」（オートホワイトバランス、ＡＷＢ）にする場合、さらに、優先する色味に応じた詳細項目を選択することができる。具体的には、オートの詳細項目として、「雰囲気優先（のオート）」または「ホワイト優先（のオート）」を選択可能である。以下、上記の詳細項目をオートの詳細値と称する。オートの詳細値を「雰囲気優先」に設定すると、白熱電球下などで撮影した場合に、その場の雰囲気を重視してやや赤みがかった写真に仕上げることができる。オートの詳細値を「ホワイト優先」に設定すると、「雰囲気優先」と比べ、赤みの少ない写真に仕上げることができる。つまり、オートの詳細値によって撮影する写真の色味が変わる。なお、オートの詳細値は上記に限定されず、他の詳細項目としてもよく、３つ以上の詳細項目を設けてもよい。
【００４５】
以下の説明では、タッチバー８２の左タップ操作には、ホワイトバランスの設定値を「くもり」に変更する機能が割り当てられているものとする。また、タッチバー８２の右タップ操作には、ホワイトバランスのオートの詳細値を変更する機能（オートの種別を変更
する機能）が割り当てられているものとする。また、タッチバー８２のスライド操作には、スライドの方向別にホワイトバランスの設定値を前または次の設定値に変更する（スライドに応じてＷＢの設定値を順次変更する）機能が割り当てられているものとする。
【００４６】
タッチバー８２に機能を割り当てるための処理については、図７（Ａ）〜図７（Ｅ）を用いて後述する。
【００４７】
図３は、本実施形態に係るデジタルカメラ１００におけるホワイトバランスの設定処理を示すフローチャートである。本処理は、システム制御部５０が不揮発性メモリ５６に格納されたプログラムをシステムメモリ５２に展開して実行することにより実現される。なお、図３の処理は、ホワイトバランスの設定操作について詳述したフローチャートであり、他の要素は省略している。前述の通り、撮影待機画面でＳＷ１が発生した場合の撮影準備処理や、ＳＷ２が発生した場合の本撮影処理などは、図３では省略するが、並行して行われるものとする。また、後述するフローチャートで説明する処理で設定されたホワイトバランスの設定内容は、ライブビュー画像の表示や、本撮影で得られる静止画、動画の画像処理に反映される。デジタルカメラ１００が撮影モードで起動されると、図３の処理を開始する。
【００４８】
Ｓ３０１では、システム制御部５０は、不揮発性メモリ５６に記憶されているホワイトバランスの設定値をシステムメモリ５２に取得する。そして、撮影待機画面に、取得した現在のホワイトバランスの設定値（設定内容）を表示する。図４（Ａ）に、ホワイトバランスの現在の設定値を表示した撮影待機画面の表示例を示す。なお、図４（Ａ）〜図４（Ｄ）、後述する図６（Ａ）〜図６（Ｅ）、後述する図７（Ａ）〜図７（Ｅ）に示す表示例は、ファインダー１７への非接眼時は表示部２８に、接眼時はＥＶＦ２９に表示されるものとする。図４（Ａ）において、撮影待機画面４００には、撮像部２２で撮像されているライブビュー画像に重畳して、各種の撮影設定の設定状況が表示される。アイコン４０１は、現在のホワイトバランスの設定値が「太陽光」に設定されていることを示している。
【００４９】
Ｓ３０２では、システム制御部５０は、不揮発性メモリ５６に記録されている、ホワイトバランスの設定値を「オート」に設定する場合のオートの詳細値をシステムメモリ５２に取得する。これは、ホワイトバランスの設定値を前回「オート」に設定した際に設定されていた詳細値（オートの種別）である。そして、Ｓ３０１の処理で取得した現在のホワイトバランスの設定値が「オート」である場合には、取得した詳細値を示す表示を行い、現在の設定値が「オート」でない場合には特にＳ３０２で取得した値を示す表示は行わない。
【００５０】
Ｓ３０３では、システム制御部５０は、左タップ操作が行われたか否かを判定する。左タップ操作が行われた場合はＳ３０４に進み、そうでない場合はＳ３０５に進む。
【００５１】
Ｓ３０４では、システム制御部５０は、ホワイトバランスの設定値を左タップ操作に割り当てられているホワイトバランスの設定値に変更する。本実施形態では、上述の通り、左タップ操作にはホワイトバランスの設定値を「くもり」にする機能が割り当てられているので、設定変更前のホワイトバランスの設定値にかかわらず、ホワイトバランスの設定値を「くもり」に変更する。例えば、図４（Ａ）に示すように、「太陽光」が設定された状態で左タップが行われると、ホワイトバランスの設定値は「くもり」に変更され、図４（Ｂ）に示すように、「くもり」に設定されていることを示すアイコン４０２が表示される。なお、ホワイトバランスの設定値を変更したら、撮影待機画面で表示される変更後のホワイトバランスの設定値を示すアイコンを強調表示すると良い。強調表示とは、例えば、設定変更前とは色を変える、大きさを変える、点滅表示するなどである。なお、左タップの操作前から「くもり」に設定されていた場合には、ホワイトバランスの設定変更は行
われず、「くもり」が維持される。
【００５２】
Ｓ３０５では、システム制御部５０は、右タップ操作が行われたか否かを判定する。右タップ操作が行われた場合はＳ３０６に進み、そうでない場合はＳ３１３に進む。
【００５３】
Ｓ３０６では、システム制御部５０は、システムメモリ５２に保持している現在のホワイトバランスの設定値を参照し、現在の設定値が「オート」か否かを判定する。「オート」に設定されている場合はＳ３０９に進む、そうでない場合はＳ３０７に進む。
【００５４】
Ｓ３０７では、システム制御部５０は、ホワイトバランスの値を、他の設定値（「太陽光」や「くもり」など）から、「オート」に変更する。変更後の設定値は、システムメモリ５２と不揮発性メモリ５６に記憶される。
【００５５】
Ｓ３０８では、システム制御部５０は、オートの詳細値を、システムメモリ５２に保持した、前回「オート」に設定していた際に設定されていたオートの詳細値に変更（更新）する。例えば、前回オートにしていた際に、「雰囲気優先」に設定されており、その状態から、「太陽光」や「くもり」に変更された状態から、右タップが行われると、「雰囲気優先」のオートに設定する。また、前回「オート」にしていた際に、「ホワイト優先」に設定されており、その状態から、「太陽光」や「くもり」に変更された状態から、右タップが行われると、「ホワイト優先」のオートに設定する。図４（Ｃ）に、ホワイトバランスが「オート」の「雰囲気優先」に設定された状態の撮影待機画面の表示例を示す。図４（Ｃ）では、「オート」の「雰囲気優先」に設定されていることを示すアイコン４０３が表示される。前回「オート」にしていた際に、「雰囲気優先」に設定されており、その状態から、「太陽光」に設定変更して図４（Ａ）が表示されている状態や、「くもり」に変更されて図４（Ｂ）が表示されている状態から、右タップが行われると図４（Ｃ）の表示となる。
【００５６】
Ｓ３０６で、ホワイトバランスの設定値が元々オートであったと判定した場合には、右タップに応じてオートの詳細値を切り替える。すなわち、Ｓ３０９では、システム制御部５０は、システムメモリ５２に保持した、前回「オート」に設定していた際に設定されていたオートの詳細値が「ホワイト優先」であるか否かを判定する。「ホワイト優先」の場合はＳ３１０に進み、そうでない場合はＳ３１１に進む。
【００５７】
Ｓ３１０では、システム制御部５０は、オートの詳細値を「ホワイト優先」から「雰囲気優先」に変更する。変更後のオートの詳細値は、システムメモリ５２と不揮発性メモリ５６に記憶される。
【００５８】
Ｓ３１１では、システム制御部５０は、オートの詳細値を「雰囲気優先」から「ホワイト優先」に変更する。システム制御部５０は、変更後のオートの詳細値をシステムメモリ５２と不揮発性メモリ５６に記憶しておく。
【００５９】
Ｓ３０９〜Ｓ３１１で説明した処理によれば、図４（Ｃ）が表示された状態で右タップが行われると、ホワイトバランスの設定内容が「オート」の「雰囲気優先」から「ホワイト優先」に変更され、図４（Ｄ）の表示状態となる。図４（Ｄ）が表示された状態で右タップが行われると、ホワイトバランスの設定内容が「オート」の「ホワイト優先」から「雰囲気優先」に変更され、図４（Ｄ）の表示状態となる。すなわち、一度「オート」に切り替えた後は、右タップが行われる度にＡＷＢの種別（詳細値）が切り替わり、図４（Ｃ）の状態と図４（Ｄ）の状態が交互に切り替わる。なお、図４（Ｄ）は、ホワイトバランスが「オート」の「ホワイト優先」に設定された状態の撮影待機画面の表示例である。図４（Ｄ）では、「オート」の「ホワイト優先」に設定されていることを示すアイコン４０
４が表示される。なお、前回オートにしていた際に「ホワイト優先」に設定されており、その状態から、「太陽光」に設定変更して図４（Ａ）が表示されている状態や、「くもり」に変更されて図４（Ｂ）が表示されている状態から、右タップが行われると図４（Ｄ）の表示となる。
【００６０】
Ｓ３１２では、システム制御部５０は、タッチバー８２に対するスライド操作が行われたか否かを判定する。スライド操作が行われたと判定した場合はＳ３１３に進み、そうでない場合にはＳ３１４に進む。
【００６１】
Ｓ３１３では、システム制御部５０は、スライド操作の方向に応じて、ホワイトバランスの設定値を現在の設定から所定の順番で前または次の設定値に変更する。所定の順番は降順が「オート」、「太陽光」、「日陰」、「くもり」、「電球」…であり、降順はその逆であるものとする。例えば、変更前が「太陽光」であった場合（図４（Ａ））に右から左へのスライド操作が行われた場合には「オート」に切り替える（図４（Ｃ）か図４（Ｄ））。この場合に設定される詳細値は、前回「オート」に設定していた際に設定されていたオートの詳細値である。スライドで、「オート」の詳細値を変更することはできない。変更前が「オート」であった場合（図４（Ｃ）か図４（Ｄ））に左から右へのスライド操作が行われた場合は「太陽光」に切り替える（図４（Ａ））。
【００６２】
Ｓ３１４では、システム制御部５０は、設定メニューでの変更処理を行う。この処理は図５を用いて後述する。
【００６３】
Ｓ３１５では、システム制御部５０は、ライブビュー表示の終了指示があったか否かを判定する。電源オフ、再生モードなどの他の動作モードへの移行、といった操作があった場合にはライブビュー表示の終了指示があったと判定して図３の処理を終了し、そうでない場合にはＳ３０３に戻って処理を繰り返す。
【００６４】
図３で説明した処理によれば、タッチバー８２への右タップによって、設定メニューを開かずとも、即座にホワイトバランスの設定値を、他の設定値がオートのうち前回使用していた詳細値（前回使用していた種別のＡＷＢ）に変更することができる。また、タッチバー８２への左タップによって、設定メニューを開かずとも、即座にホワイトバランスの設定値を登録した特定の設定値（上述の例では「くもり」）に変更することができる。また、タッチバー８２へのスライドによって、設定メニューを開かずとも、即座にホワイトバランスの設定値を、次または前の設定値に変更することができる。従って、オートとその他の設定値を、被写体に合わせて素早く切り替えて撮影することが可能となる。更に、一度オートに切り替えていれば、タッチバー８２への右タップによって、設定メニューを開かずとも、即材にＡＷＢの種別を切り替えることができる。従って、被写体に合わせて素早くＡＷＢの種別（詳細値）を切り替えて撮影することが可能となる。特に、タッチバー８２への操作でこれらの切り替えが行えるため、ファインダー１７に接眼してデジタルカメラ１００を構えた状態で素早くホワイトバランスを設定変更でき、シャッターチャンスを逃さずに適切な設定に変更して撮影することが可能となる。
次に、図５に、図３のＳ３１４で説明した設定メニューでの変更処理の詳細フローチャートを示す。本処理は、システム制御部５０が不揮発性メモリ５６に格納されたプログラムをシステムメモリ５２に展開して実行することにより実現される。
【００６５】
Ｓ５００では、システム制御部５０は、クイック設定メニューの表示指示がなされたか否かを判断する。こクイック設定メニューの表示指示は、ＳＥＴボタン７５の押下または図６（Ａ）に示すアイコン６０１にタッチすることで行うことができる。なお、図６（Ａ）は図４（Ａ）と同じ撮影待機画面である。クイック設定メニューの表示指示がされたと判定された場合はＳ５０２に進み、そうでない場合は図５の処理を終了する。
【００６６】
Ｓ５０１では、システム制御部５０は、クイック設定メニューを表示する。図６（Ｂ）に、クイック設定メニューの表示例を示す。クイック設定メニューには、第１階層メニュー項目群６０２と、第２階層メニュー項目群６１０が含まれ、これらが、ライブビュー画像に重畳して表示される。カーソル６０３は、第１階層メニュー項目群６０２のうち何れか１つを選択するための選択カーソルである。カーソル６０３は、４方向キー７４の上下キー操作あるいは第１階層メニュー項目群６０２のうち何れかにタッチする操作によって移動させることができる。第１階層メニュー項目群には、ＡＦ方式の設定項目であるアイコン６０５、ホワイトバランスの設定項目であるアイコン６０４、クイック設定メニューを非表示として抜けるためのアイコン６０６が含まれる。第１階層メニュー項目群６０２に含まる各アイコンは、それぞれのアイコンが示す設定項目の現在の設定値を示しており、アイコン６０５は「顔追尾優先ＡＦ」を示す表示形態、アイコン６０４は「太陽光」を示す表示形態となっている。図６（Ｂ）の例では、第１階層メニュー項目群６０２のうちＡＦ方式の項目であるアイコン６０５が選択されている状態を示している。第２階層メニュー項目群６１０は、第１階層メニュー項目群で選択されている項目のサブメニューであり、第１階層メニュー項目群で選択された設定項目について設定可能な設定値の候補群である。図６（Ｂ）の例では、第２階層メニュー項目群６１０は、ＡＦ方式として設定可能な設定値の候補であり、このうち、「顔追尾優先ＡＦ」に設定する項目が選択されている。カーソル６１１は、第２階層メニュー項目群６１０のうち何れかの項目を選択するための選択カーソルである。カーソル６１１は、４方向キー７４の左右キー操作、メイン電子ダイヤル７１の回転操作、サブ電子ダイヤル７３の回転操作、あるいは第２階層メニュー項目群６１０のうち何れかにタッチする操作によって移動させることができる。カーソル６１１が移動すると、移動先の項目が示す設定値に設定が変更され、第１階層メニュー項目群６０２のうち、対応する親項目のアイコンの表示形態が変更される。例えば、第２階層メニュー項目群６１０のうち、カーソル６１１が「１点ＡＦ」を示す項目（図６（Ｂ）の左から２番目の項目）に移動すると、対応する親項目であるＡＦ方式の設定項目を示すアイコン６０５の表示形態も、「１点ＡＦ」を示す表示形態に変更される。
【００６７】
Ｓ５０２では、システム制御部５０は、第１階層メニュー項目群６０２のいずれかを選択するためのカーソル６０３がホワイトバランスの項目であるアイコン６０４にあたっているか否かを判定する。カーソル６０３がホワイトバランスの項目であるアイコン６０３にあたっている場合はＳ５０５に進み、そうでない場合はＳ５０３に進む。
【００６８】
Ｓ５０３では、システム制御部５０は、カーソル６０３を移動する操作がされたか否かを判定する。本実施形態では、４方向キー７４を上下方向に操作したり、図６（Ｂ）に示す設定項目を表すアイコンをタッチすることで、カーソル６０３を他の設定項目に移動させることができる。カーソル６０３を移動する操作がされた場合は、操作に応じてカーソル６０３を移動するとともに移動先の項目に対応するサブメニュー（第２階層メニュー項目群）を表示してＳ５０２に進み、そうでない場合はＳ５０４に進む。
【００６９】
Ｓ５０３で、カーソル６０３がホワイトバランスの項目であるアイコン６０４に移動されると、第２階層メニュー項目群（サブメニュー）として、ホワイトバランスの設定値候補が一覧表示される。図６（Ｃ）に、カーソル６０３でアイコン６０４を選択して、第２階層メニュー項目群（サブメニュー）として、ホワイトバランスの設定値候補を一覧表示した例を示す。アイコン６２１〜６２５はそれぞれ、「オート」、「太陽光」、「日陰」、「くもり」、「電球」を示しており、いずれかの設定値をカーソル６１１で選択可能である。図６（Ｃ）では「太陽光」が選択されている。なお、後述するオートの詳細値の設定はホワイトバランスが「オート」になった場合のみ有効なので、図６（Ｃ）に示す表示画面では、（ホワイトバランスの設定値が「太陽光」なので）、後述するガイド６３０は表示されない。更に、アイコン６２１〜６２５の右側のアイコンまたは左側のアイコンを
選択する、あるいは、表示されたアイコン６２１〜６２５の左端または右端を選択して更に端の方向を選択する操作をすることで、他の設定値候補群の切り替えることができる。更に表示される設定値候補（選択肢）には、「蛍光灯（昼白色）」、「蛍光灯（昼光色）」、「ストロボ使用」、「マニュアル（手動）」、「色温度」、「水中」などがある。Ｓ５０２でＹｅｓと判定される場合は、図６（Ｃ）のように第２階層メニュー項目群（サブメニュー）として、ホワイトバランスの設定値候補が一覧表示された状態である。
【００７０】
Ｓ５０４では、システム制御部５０は、クイック設定メニューの表示を終了するか否かを判定する。本実施形態では、クイック設定メニュー表示中にＳＥＴボタン７５が押下されるか、無操作の状態で一定時間経過するか、アイコン６０６がタッチされた場合に、クイック設定メニューの表示を終了する。クイック設定メニューの表示を終了する場合はクイック設定メニューを非表示として、図５の処理を終了し、撮影待機画面に戻る。クイック設定メニューの表示を終了しない場合はＳ５０２に戻る。
【００７１】
Ｓ５０５では、システム制御部５０は、ホワイトバランスの設定値の変更指示がされたか否かを判定する。第１階層メニュー項目群６０２のうち、ホワイトバランスの項目であるアイコン６０４を選択して表示されるサブメニュー（第２階層メニュー項目群）のうちカーソル６１１で選択する項目を変更することで、ホワイトバランスの設定値を変更できる。カーソル６１１の移動操作は、前述の通り、４方向キー７４の左右キー操作、メイン電子ダイヤル７１の回転操作、サブ電子ダイヤル７３の回転操作、あるいは第２階層メニュー項目群６１０のうち何れかにタッチする操作によって移動させることができる。設定値が変更された場合（カーソル６１１が移動された場合）はＳ５０６に進み、そうでない場合はＳ５０７に進む。
【００７２】
Ｓ５０６では、システム制御部５０は、移動後のカーソル６１１で選択された設定値にホワイトバランスの設定値を変更する。変更後の設定値は、システムメモリ５２及び不揮発性メモリ５６に記憶される。なおこのとき、「オート」（アイコン６２１）が選択された場合は、オートのうち前回使用していた詳細値（前回使用していた種別のＡＷＢ）に設定される。また、オートの詳細値（ＡＷＢの種別）を切り替えるためのガイダンスを表示する。図６（Ｄ）に、カーソル６１１でアイコン６２１が選択され、オートの詳細値（ＡＷＢの種別）を切り替えるためのガイダンスを表示した例を示す。図示の例では、オートの詳細値（ＡＷＢの種別）が「雰囲気優先」に設定されている。そのため、親項目であるアイコン６０４も、「オート」の「雰囲気優先」を示す表示形態となっている。また、「オート」の詳細値を切り替えるためには拡大ボタン７８を押下すれば良いことを示すガイド６３０が表示されている。なお、拡大ボタン７８を押下してもすぐに詳細値が切り替わるわけではなく、詳細値の切り替え画面が表示され、その後の切り替え操作によって詳細値が切替られる。なお、ガイド６３０の表示領域をタッチすることでも詳細値の切り替え画面を表示させることができる。
【００７３】
Ｓ５０７では、システム制御部５０は、ホワイトバランスの設定値が「オート」に設定されているか否かを判定する。「オート」に設定されている場合はＳ５０８に進み、そうでない場合はＳ５０４に進む。
【００７４】
Ｓ５０８では、システム制御部５０は、ホワイトバランスのオートの詳細値を設定する画面に遷移するための操作がされたか否かを判定する。具体的には、前述の図６（Ｄ）の表示がされた状態で、拡大ボタン７８が押下されたか、ガイド６３０の領域がタッチされたか否かを判定する。拡大ボタン７８が押下されたか、ガイド６３０の領域がタッチされるとＳ５０９に進み、そうでない場合はＳ５０４に進む。
【００７５】
Ｓ５０９では、システム制御部５０は、オートの詳細値の設定画面を表示する。図６（
Ｅ）に、オートの詳細値の設定画面の表示例を示す。ライブビュー画像に重畳して、オートの詳細値の選択肢である、「雰囲気優先」に設定するためのアイコン６３１、「ホワイト優先」に設定するためのアイコン６３２が表示される。上述の第２階層メニュー項目群のうちいずれかを選択する操作と同じ操作で、アイコン６３１とアイコン６３２のいずれかを選択することができる。ガイド６３３は現在選択（設定）されている詳細値を示ししている。アイコン６３４は、オートの詳細値の設定画面を抜けてクイック設定メニューに戻るためのタッチアイコンである。
【００７６】
Ｓ５１０では、システム制御部５０は、オートの詳細値を変更する操作（アイコン６３１とアイコン６３２のいずれかを選択する操作）がされたか否かを判定する。本ダイヤル７１やサブ電子ダイヤル７３を回したり、４方向キー７４を左右方向に操作する、あるいはアイコン６３１とアイコン６３２のいずれかをタッチする操作があった場合にＳ５１１に進み、そうでない場合はＳ５１２に進む。
【００７７】
Ｓ５１１では、システム制御部５０は、アイコン６３１とアイコン６３２のうち、選択されたアイコンに対応するオートの詳細値に変更する。変更後の詳細値はシステムメモリ５２及び不揮発性メモリ５６に記憶される。
【００７８】
Ｓ５１２では、システム制御部５０は、オートの詳細値の設定を終了するか否かを判定する。ＳＥＴボタン７５が押下されるか、図６（Ｅ）に示すアイコン６３４がタッチされるとオートの詳細値の設定を終了する。オートの詳細値の設定を終了した場合はクイック設定メニュー画面の表示に戻ってＳ５０４に進み、そうでない場合はＳ５１０に戻る。
【００７９】
このように、図５，図６（Ａ）〜図６（Ｅ）を用いて説明した手順でオートの詳細値を変更する場合、次のように操作する必要がある。すなわち、一度ホワイトバランスの設定値をクイック設定メニューの画面を用いて「オート」に変更した後、「オート」に切り替えるためとは別の操作（拡大ボタン７８の押下はまたはガイド６３０のタッチ）を行って詳細値設定用の画面を表示させる必要がある。その上でオートの詳細値を変更する操作を行う必要がある。一方で、本実施形態では、図４（Ａ）〜図４（Ｄ），図５に示す通り、オートの詳細値を変更するための機能が割り当てられた右タップ操作で、ホワイトバランスの設定値を「オート」に変更し、同じ操作を続けることで、更にオートの詳細値を変更できる。そのため、右タップで説明したホワイトバランスの切り替え方法では、クイック設定メニューを用いて切り替えるよりも、ホワイトバランスの「オート」の設定、及び詳細値（種別）の変更を素早く行うことができる。
【００８０】
＜本実施形態に係るタッチバーへの機能の割当画面＞
次に、本実施形態におけるタッチバー８２に機能を割り当てる方法について説明する。図７（Ａ）に示す画面７００は、タッチバー８２に機能を割り当てるための設定画面である。図７（Ａ）に示すボタン７０１は、現在設定されている機能グループを表す。本実施形態では、タッチバー８２に機能を割り当てる際、おすすめの機能組み合わせをいくつかの機能グループとして用意する。例えば、機能グループとしてＩＳＯ感度を設定した場合、タッチバー８２のスライド操作にはＩＳＯ感度をスライド方向に応じて増減する機能、左タップ操作にはＩＳＯを１つ減らす機能、右タップ操作にはＩＳＯを１つ増やす機能が割り当てられる。このように機能グループを設定することで、タッチバー８２に、１つの設定項目に対する複数の操作を好適に割り当て、組合せの操作によって１つの設定項目について操作性良く操作することができる。アイコン７０２〜７０４はそれぞれ、スライド操作、左タップ操作、右タップ操作に割り当てられている機能を表示するが、図７（Ａ）に示す画面７００では、まだ機能が割り当てられていないため、「ＯＦＦ」と表示されている。図７（Ａ）に示すボタン７０１を選択すると図７（Ｂ）に示す画面７０５が表示される。
【００８１】
図７（Ｂ）に示す画面７０５は、機能グループを選択する画面である。項目７０６〜７０８に示す機能グループは、割当可能な複数の機能を分類した複数のグループである。項目７０６はＩＳＯ感度に関する機能グループ、項目７０７はホワイトバランスに関する機能グループ、項目７０８はピント・情報表示に関する機能グループを表している。ユーザーは複数の機能グループの中からタッチバー８２に割り当てたい機能を選択する。
【００８２】
図７（Ｃ）は、図７（Ｂ）でホワイトバランスの機能グループを選択した際の画面を示す。ボタン７０１は、機能グループがホワイトバランスであることを表す。アイコン７０２はスライド操作にホワイトバランスを変更する機能が割り当てられていることを表す。同様に、アイコン７０３は左タップ操作にホワイトバランスの設定値を所定の順番で前の値に変更する機能、アイコン７０４は右タップ操作にホワイトバランスの設定値を次の値に変更する機能が割り当てられていることを表す。アイコン７０３を選択すると図７（Ｄ）に示される画面７２３が表示され、左タップ操作に対して個別に機能を設定することができる。ここでは省略するが、アイコン７０２，７０４を選択された場合も、図７（Ｄ）に示す画面と同様の画面が表示され、それぞれの操作に対して個別に機能を設定することができる。上述の通り機能グループを選ぶと、一旦自動的に各操作種別に機能が設定される。その後、各操作種別に割り当てる機能を変更して、ユーザーが設定された機能グループに含まる機能のなかから任意に割り当てることができる。
【００８３】
図７（Ｄ）において、アイコン７１６は、ホワイトバランスの設定値を前の値に変更する機能を表す。アイコン７１７は。ホワイトバランスのオートの詳細値である「ホワイト優先」と「雰囲気優先」を切り換える機能を表す。アイコン７１８は、ホワイトバランスの特定の設定値（図示の例では「太陽光」）を選択するための機能を表す。なお、アイコン７１８を選んだ状態で、操作部７０に含まれるＩＮＦＯボタンを押下することにより、アイコン７１８の選択によって選択している操作種別に割り当てる機能としての特定の設定値を、「日陰」、「くもり」などの他の設定値に変更することができる。アイコン７１９は、ホワイトバランスシフトの画面に遷移する機能を表す。アイコン７２０は、機能割り当てを行わないことを表す。選択された機能グループ（図７（Ｄ）の例ではホワイトバランス）に含まれない機能を除いた、選択された機能グループに含まれた項目７１６〜７２０に例示する複数の機能のいずれかを、タップやスライド等の複数の操作種別にそれぞれ割り当てることができる。いずれかの機能を選択すると、図７（Ｅ）に示す画面が表示される。
【００８４】
図７（Ｅ）は、スライド操作にＷＢの設定値を順次切り替える機能、左タップ操作にホワイトバランスの設定値を「くもり」に変更する機能、右タップ操作にホワイトバランスのオートの詳細値を切り換える機能を割り当てた場合の表示例である。これは、前述の図３の説明で用いた割当状況の例である。
【００８５】
上述実施形態によれば、ホワイトバランスの設定値をタッチバーの簡易な操作で変更することができる。また、ホワイトバランスの設定値を「オート」にする場合、オートの詳細値もタッチバーの簡易な操作で変更することができる。これにより、ホワイトバランスの設定を素早く変更することができる。
【００８６】
本実施形態におけるタップ操作によるホワイトバランスの変更を行わない場合、上述の通りクイック設定メニューで表示される設定画面による複数の操作が必要である。例えば、ホワイトバランスの設定値が「オート」以外の状態から「オート」に設定変更し、さらに詳細値を変更する場合、次のように操作する必要がある。すなわち、設定画面で設定値を「オート」に変えるための操作を行い、その後でオートの詳細値を変更する画面を開く操作を行い、その画面で変更操作を行う必要がある。しかし、そのような複数の手順で操
作を行う場合、素早く設定変更することができない。そこで、上述のように、ホワイトバランスの設定値を「オート」にする機能およびオートの詳細値を変更するため機能をタップ操作に割り当てることで、ホワイトバランスの設定を変更するための操作手順を減らしている。
【００８７】
以上説明した実施形態によれば、クイック設定メニューでホワイトバランスの項目を選択した状態で、オート、太陽光、蛍光灯を少なくとも含む複数の設定にそれぞれ対応する複数の選択肢である第２階層メニュー項目群のうち何れかを選択して設定できる。ホワイトバランスについての第２階層メニュー項目群のうち何れかを選択する操作は、方向キー７４の左右キー、メイン電子ダイヤル７１、サブ電子ダイヤル７３、タッチパネル７０ａによって行える。また、撮影待機画面において、ホワイトバランスの設定が「オート」である場合には、タッチバー８２への右タップに応じて、ホワイトバランスをオート」に対応する複数の種別の設定（「雰囲気優先」と「ホワイト優先」）のうちの１つに変更する。ホワイトバランスの設定が「オート」である場合とは、言いかえれば、ホワイトバランスの設定が第２階層メニュー項目群うち「オート」の選択肢（アイコン６２１）に対応する設定である場合である。また、ホワイトバランスの設定が「オート」であった場合には、タッチバー８２への右タップに応じて、「オート」の複数の種別の設定（「雰囲気優先」と「ホワイト優先」）のうち他の種別の設定に変更する。また、ホワイトバランスについての第２階層メニュー項目群に、「オート」の複数の種別の設定（「雰囲気優先」と「ホワイト優先」）にそれぞれ対応する複数の選択肢は含まれておらず、このメニュー画面から種別を変更するには詳細値の変更画面を開く必要がある。
【００８８】
以上、本実施形態の好ましい実施形態について説明したが、上述の実施形態に限定されず、その要旨の範囲内で種々の変形及び変更が可能である。
【００８９】
上述の実施形態では、デジタルカメラに搭載されるタッチバーのタップおよびスライド操作の制御について説明したが、様々な電子機器に搭載されるタッチパネルまたはタッチパッド、ボタン等の操作部に対して上記制御を適用することができる。この場合、上述の実施形態において左タップ操作または右タップ操作に割り当てた機能を別々のボタン等に割り当ててもよい。また、複数の部材に複数の機能を割り当ててもよい。例えば、撮影待機画面の表示中に、４方向キー７４の上ボタン押下、下ボタン押下、メイン電子ダイヤル７１の回転操作に、それぞれ、特定のＷＢ設定値に切り替える機能、オートの種別を切り替える機能、ＷＢの設定値を順次切り替える機能を割り当ててもよい。このような操作割当でも、前述の処理を適用可能である。
【００９０】
さらに、上述の説明では、オートの種別を切り替える機能を割り当てた特定操作（右タップで説明した例）に応じて、他の設定値からオートに切り替え、更にオートの中での種別を変更する例を説明した。しかし、オートに限らず適用可能であり、１つの設定値で複数の詳細値が設定変更可能なものであれば適用可能である。例えば、ホワイトバランスの設定値には、「蛍光灯」の設定値があるが、これは更にサブセットとして、「昼白色」、「昼光色」、「白色」、「温白色」などの色別の詳細値（種別）がある。この「蛍光灯」にも「オート」で説明したような操作感を適用可能である。すなわち、他の設定値（「太陽光」など）に設定されていた場合に特定操作（右タップ）が行われると、設定値を「蛍光灯」のうち、前回「蛍光灯」に設定していた際の詳細値に切り替える。その状態から更に特定操作（右タップ）が行われると、「蛍光灯」に含まれる複数の種別の設定を順次切り替える。またこの場合、第２階層メニュー項目群として選択可能な選択肢には、「蛍光灯」は１つだけ選択肢となり、種別（詳細値）を切り替えるには、「オート」と同様に詳細値の変更画面を開いた上で変更できるようにする。
【００９１】
また、本発明は、以下の操作部と制御部とを備える撮像制御装置として捉えることもで
きる。ここで、操作部は、ホワイトバランスに関する複数の設定値のうちいずれかの設定値を選択する。そして、制御部は、上記操作部が操作された時、ホワイトバランスの設定モードが所定のグループに含まれる設定モードではない場合は、ホワイトバランスの設定を上記所定のグループに含まれる設定モードのいずれかに設定する。また、制御部は、上記操作部が操作された時、ホワイトバランスの設定モードが上記所定のグループに含まれる設定モードである場合は、ホワイトバランスの設定を上記所定のグループに含まれる設定モードのうち現在のモード以外のモードに設定する。なお、複数の設定値は、撮影環境や被写体等に応じて撮像画像の色味を調整するために用いられる複数の設定モードを示す。また、所定のグループは、自動でホワイトバランスの設定を行うオートモードに関するグループである。例えば、所定のグループには、「雰囲気優先のオートモード」または「ホワイト優先のオートモード」等が含まれる。さらに、「上記所定のグループに含まれる設定モードのいずれか」とは、以前に設定されていたモードとすることができる。この場合、以前に設定されていたモードは、上記オートモードのいずれかを初期値として用い、上記オートモードが設定されるたびに更新すればよい。
【００９２】
上述の実施形態では、タッチバー（操作部）とデジタルカメラ（撮像制御装置）とが一体の装置である例について説明したが、デジタルカメラとは別体の電子機器に搭載されるタッチバーを用いて、デジタルカメラに対する上記制御を行ってもよい。
【００９３】
なお、システム制御部５０が行うものとして説明した上述の各種制御は１つのハードウェアが行ってもよいし、複数のハードウェア（例えば、複数のプロセッサーや回路）が処理を分担することで、装置全体の制御を行ってもよい。
【００９４】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００９５】
また、上述した実施形態においては、本発明をデジタルカメラに適用した場合を例にして説明したが、これはこの例に限定されずホワイトバランスに関する設定操作を行える電子機器であれば適用可能である。すなわち、本発明は、パーソナルコンピュータやＰＤＡ、携帯電話端末や携帯型の画像ビューワ、ディスプレイを備えるプリンタ装置、デジタルフォトフレーム、音楽プレーヤー、ゲーム機、電子ブックリーダーなどに適用可能である。
【００９６】
また、撮像装置本体に限らず、有線または無線通信を介して撮像装置（ネットワークカメラを含む）と通信し、撮像装置を遠隔で制御する制御装置にも本発明を適用可能である。撮像装置を遠隔で制御する装置としては、例えば、スマートフォンやタブレットＰＣ、デスクトップＰＣなどの装置がある。制御装置側で行われた操作や制御装置側で行われた処理に基づいて、制御装置側から撮像装置に各種動作や設定を行わせるコマンドを通知することにより、撮像装置を遠隔から制御可能である。また、撮像装置で撮影したライブビュー画像を有線または無線通信を介して受信して制御装置側で表示できるようにしてもよい。
【００９７】
（他の実施形態）
本発明は、以下の処理を実行することによっても実現される。即ち、上述の実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【００９８】
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００９９】
５０：システム制御部      ８２：タッチバー      １００：デジタルカメラ
【図１】
2020005207.tif 000003
【図２】
2020005207.tif 000004
【図３】
2020005207.tif 000005
【図４】
2020005207.tif 000006
【図５】
2020005207.tif 000007
【図６】
2020005207.tif 000008
【図７】
2020005207.tif 000009